(57)【要約】【課題】不正遊技者が生起させる様々な振動を高感度で検知できると共に、遊技機への取り付けに際して取り付ける向きが指定されることもなく所望の位置に自由に取り付けることができるセキュリティセンサ１を提供する。【解決手段】本発明のセキュリティセンサ１は、ハウジング２内に設けられた振り子吊り下げ用ピン３と、振り子吊り下げ用ピン３に挿通されるピン挿通穴４を備えた吊り下げ部５と、吊り下げ部５の下部に設けられた被検体部６とを有した振り子７と、振り子７の被検体部６を検知するためのセンサ部８とを備え、吊り下げ部５のピン挿通穴４は正面視縦長の楕円形状に形成されている。【選択図】図２
2019030382.tif 000002
【特許請求の範囲】
【請求項１】
ハウジング内に設けられた振り子吊り下げ用ピンと、
該振り子吊り下げ用ピンに挿通されるピン挿通穴を備えた吊り下げ部と、該吊り下げ部の下部に設けられた被検体部とを有した振り子と、
該振り子の前記被検体部を検知するためのセンサ部とを備え、
前記吊り下げ部の前記ピン挿通穴は正面視縦長の楕円形状に形成されていることを特徴とするセキュリティセンサ。
【請求項２】
前記吊り下げ部は、断面形状が円形に形成されている請求項１に記載のセキュリティセンサ。
【請求項３】
前記振り子部の前記被検体部は、磁石を有している請求項１または２に記載のセキュリティセンサ。
【請求項４】
前記振り子部の前記被検体部は、前記磁石を嵌入するための磁石嵌入用空間を有している請求項３に記載のセキュリティセンサ。
【請求項５】
前記センサ部は、前記振り子の下方に配されるフォトセンサにて構成されており、発光部による光の到達領域が、前記振り子が上昇した際には届かない高さに設定されている請求項１ないし４のいずれかに記載のセキュリティセンサ。
【発明の詳細な説明】
【技術分野】
【０００１】
本発明は、例えばパチンコ機や回胴式遊技機（パチスロ機）などの遊技機に使用して好適なセキュリティセンサに関するものである。
【背景技術】
【０００２】
従来より、パチンコ機や回胴式遊技機（パチスロ機）などの遊技機が設置されている遊技場（ホール）において、遊技機に何らかの細工を施し、出玉やコインを不正に得ようとする不正行為が遊技者によって行われる場合がある。例えば、遊技者がパチンコ機を叩いて衝撃を加え、或いは磁石を用いて遊技球の進路に変化を与えて遊技球を入賞口に導く等の不正行為が行われている。このような不正行為に対しては、遊技機に振動センサと磁石センサを別個に取り付けて、これらセンサの出力信号を受信した防犯検知警報装置（例えば特許第５０３６３０１号公報）が警報音や点灯等によって不正行為を報知するようにして対応している。
【０００３】
そして、この種の防犯検知警報装置に使用される振動センサとしては、例えば、図１０のような振動センサ５０が一般的に使用されている。この振動センサ５０は、本体部５１と本体部５１を被覆するカバー部５２とを有し、本体部５１側に設けられた軸部５３にｋ方向のみ回動可能に軸支された振り子５４が設けられたものである。
【０００４】
しかし、上記振動センサ５０は、振り子５４の動作が弧状の軌跡を往復動するのみであるため、不正遊技者が生起させる様々な方向の振動を検知しない場合があった。また、振り子５４が弧状の軌跡を往復動する動作のみ許容されたものであるため、不正遊技者が遊技台を前面から叩くことによる振動を検知できるよう、遊技機に取り付ける向きが指定されるものであり、遊技台によっては取り付けが困難な場合もあり煩雑であった。
【先行技術文献】
【特許文献】
【０００５】
【特許文献１】特許第５０３６３０１号公報
【発明の概要】
【発明が解決しようとする課題】
【０００６】
そこで、本発明は、上記問題点を解決するために想起されたものであり、すなわち、本発明の課題は、不正遊技者が生起させる様々な振動を高感度で検知できると共に、遊技機への取り付けに際して取り付ける向きが指定されることもなく所望の位置に自由に取り付けることができるセキュリティセンサを提供することにある。
【課題を解決するための手段】
【０００７】
上記課題を解決するものは、ハウジング内に設けられた振り子吊り下げ用ピンと、該振り子吊り下げ用ピンに挿通されるピン挿通穴を備えた吊り下げ部と、該吊り下げ部の下部に設けられた被検体部とを有した振り子と、該振り子の前記被検体部を検知するためのセンサ部とを備え、前記吊り下げ部の前記ピン挿通穴は正面視縦長の楕円形状に形成されていることを特徴とするセキュリティセンサである（請求項１）。
【０００８】
前記吊り下げ部は、断面形状が円形に形成されていることが好ましい（請求項２）。前記振り子部の前記被検体部は、磁石を有していることが好ましい（請求項３）。前記振り子部の前記被検体部は、前記磁石を嵌入するための磁石嵌入用空間を有していることが好ましい（請求項４）。前記センサ部は、前記振り子の下方に配されるフォトセンサにて構成されており、発光部による光の到達領域が、前記振り子が上昇した際には届かない高さに設定されていることが好ましい（請求項５）。
【発明の効果】
【０００９】
請求項１に記載したセキュリティセンサによれば、全方位感知型のセキュリティセンサが構成され、不正遊技者が生起させる様々な振動を高感度で検知できると共に、遊技機への取り付けに際して取り付ける向きが指定されることもなく所望の位置に自由に取り付けることができる。
請求項２に記載したセキュリティセンサによれば、上記請求項１の効果に加え、振り子吊り下げ用ピンに対する振り子の揺動がよりスムースなものとなって、より全方位感知型のセキュリティセンサが構成される。
請求項３に記載したセキュリティセンサによれば、上記請求項１または２の効果に加え、振動センサと磁石センサを兼ねることができるため、磁石センサを別個に取り付けることが不要となる。
請求項４に記載したセキュリティセンサによれば、上記請求項１ないし３の効果に加え、より容易に振動センサと磁石センサとを兼ねたセキュリティセンサを構成できる。
請求項５に記載したセキュリティセンサによれば、上記請求項１ないし４の効果に加え、上下方向の振動にも高感度に検知できるセキュリティセンサを構成できる。
【図面の簡単な説明】
【００１０】
【図１】本発明のセキュリティセンサの一実施例を正面図である。
【図２】図１に示したセキュリティセンサの内部構造を説明するための説明図であり、正面側ハウジングを取り外した状態を示す正面図である。
【図３】図１のＡ−Ａ線断面図である。
【図４】図１に示したセキュリティセンサの振り子を説明するための拡大正面図である。
【図５】図４のＢ−Ｂ線断面図である。
【図６】図１に示したセキュリティセンサの分解斜視図である。
【図７】図1に示したセキュリティセンサの回路図である。
【図８】図1に示したセキュリティセンサの作用を説明するための説明図である。
【図９】図1に示したセキュリティセンサの作用を説明するための説明図である。
【図１０】従来のセキュリティセンサを説明するための分解斜視図である。
【発明を実施するための形態】
【００１１】
本発明では、ハウジング２内に設けられた振り子吊り下げ用ピン３と、振り子吊り下げ用ピン３に挿通されるピン挿通穴４を備えた吊り下げ部５と、吊り下げ部５の下部に設けられた被検体部６とを有した振り子７と、振り子７の被検体部６を検知するためのセンサ部８とを備え、吊り下げ部５のピン挿通穴４が正面視縦長の楕円形状に形成されていることにより、全方位感知型のセキュリティセンサが構成され、不正遊技者が生起させる様々な振動を高感度で検知できると共に、遊技機への取り付けに際して取り付ける向きが指定されることもなく所望の位置に自由に取り付けることができるセキュリティセンサ１を実現した。
【実施例１】
【００１２】
本発明のセキュリティセンサを図１ないし図９に示した一実施例を用いて説明する。
この実施例のセキュリティセンサ１は、図２または図３に示すように、ハウジング２内に設けられた振り子吊り下げ用ピン３と、振り子吊り下げ用ピン３に挿通されるピン挿通穴４を備えた吊り下げ部５と、吊り下げ部５の下部に設けられ磁石嵌入用空間１１内に磁石１０が嵌入された被検体部６とを有した振り子７と、振り子７の被検体部６を検知するためのセンサ部８とを有している。以下、各構成について順次詳述する。
【００１３】
この実施例のセキュリティセンサ１は、パチンコ機や回胴式遊技機（パチスロ機）などの遊技機の内部に取り付けて使用するものであるが、本発明のセキュリティセンサは遊技機用に限定されるものではなく、遊技機以外のものに使用されるものも本発明の範疇に包含される。
【００１４】
ハウジング２は、図１または図６に示すように、正面側ハウジング２ａと背面側ハウジング２ｂとから構成されており、背面側ハウジング２ｂの上部中央には、図２または図３に示すように、正面側に向かって水平方向に延在するように設けられた振り子吊り下げ用ピン３が一体成形されている。
【００１５】
振り子吊り下げ用ピン３は縦断面円形に設けられており、振り子７の吊り下げ部５に設けられたピン挿通穴４内にこの振り子吊り下げ用ピン３が挿通することにより、振り子７が振り子吊り下げ用ピン３に吊り下げられて揺動可能に構成されている。
【００１６】
吊り下げ部５は、振り子７を振り子吊り下げ用ピン３に吊り下げるための部位であり、図４に示すように、円環状に形成されていると共に、その中央付近に設けられたピン挿通穴４は、正面視縦長の楕円形状に形成されている。これにより、振り子７は、図２に示すような横方向のみならず、図２中正背面方向（図２中手前奥方向）にも揺動可能となり全方位型の振り子７が構成される。
【００１７】
また、ピン挿通穴４に振り子吊り下げ用ピン３の太さ（直径）より大きな横幅ｍを有した部位（好ましくはｍが振り子吊り下げ用ピン３の直径の約２倍程度）が形成されることにより、図２中正背面方向（図２中手前奥方向）への揺動がより自在なものに構成できる。これらの構成により、振り子７は振り子吊り下げ用ピン３を頂点とする略円錐体状内における揺動が可能に構成されている。
【００１８】
さらに、ピン挿通穴４が、正面視縦長の楕円形状に形成されることで、振り子吊り下げ用ピン３の上下方向（垂直方向）にも揺動可能な振り子６が構成される。
【００１９】
さらに、吊り下げ部５は、図５に示すように、断面形状が円形に形成されている。これにより、振り子吊り下げ用ピン３に対する振り子７の揺動がよりスムースなものとなり、より全方位感知型のセキュリティセンサ１が構成でき、遊技機への取り付けに際しても、取り付ける向きが指定されることもなく所望の位置に自由に取り付けることができるセキュリティセンサが構成される。
【００２０】
被検体部６は、センサ部８に検知される部位であり、図４に示すように、吊り下げ部５の下部に一体成形されている。
【００２１】
この実施例の被検体部６は略釣鐘状あるいは略円錐体状に形成されており、図４に示すように、磁石嵌入用空間１１が設けられると共に磁石１０が磁石嵌入用空間１１内に嵌入されている。これにより、振り子７は、振動センサと磁石センサとを兼ねることができるため、セキュリティセンサ１は磁石を用いた不正行為にも対応して検知でき、磁石センサを別個に取り付けることが不要となる。また、予め被検体部６に磁石嵌入用空間１１が設けられることで、磁石１０をその内部に挿入して嵌め入れるのみで、より容易に振動センサと磁石センサとを兼ねたセキュリティセンサを構成することができる。
【００２２】
センサ部８は、振り子７の被検体部６を検知するためのものであり、この実施例では、図２または図３に示すように、振り子７の下方に設けられた基板９上で振り子７の真下付近にセンサ部８が配されている。
【００２３】
この実施例のセンサ部８は、図７に示すように、発光ダイオードとフォトトランジスタを組み合わせたフォトリフレクタにて構成されている。
【００２４】
そして、このフォトリフレクタ（センサ部８）の発光部から放射される光が振り子７の被検体部６によって反射してフォトリフレクタ（センサ部８）の受光部がこれを検知するとＯＮ状態となる。このセンサ部８の出力信号を受信した防犯検知警報装置はＯＦＦ状態となり不正行為を報知しないように構成される。
【００２５】
他方、振り子７の被検体部６が遊技者の不正行為によって揺動すると、このフォトリフレクタ（センサ部８）の発光部から放射される光が振り子７の被検体部６に反射せず、フォトリフレクタ（センサ部８）の受光部が光を検知せずＯＦＦ状態となる。このセンサ部８の出力信号を受信した防犯検知警報装置は警報音や点灯等によって不正行為を報知するように構成される。
【００２６】
また、フォトリフレクタ（センサ部８）の発光部による上方への光の到達領域は、図８に示すように、振り子７が最下部に位置している時（振り子吊り下げ用ピン３が振り子７を吊り下げ状態に支持している時）は、振り子７を検知できるように、振り子７の底部より高い位置ｈに設定されている。このため、フォトリフレクタ（センサ部８）の発光部から放射される光が振り子７の被検体部６によって反射してフォトリフレクタ（センサ部８）の受光部がこれを検知するとＯＮ状態となる。このセンサ部８の出力信号を受信した防犯検知警報装置はＯＦＦ状態となり不正行為を報知しないように構成される。
【００２７】
他方、フォトリフレクタ（センサ部８）の発光部による光の到達領域の高さｈは、図９に示すように、振り子７が遊技者の不正行為によって上昇した際には届かない高さに設定されている。このため、このフォトリフレクタ（センサ部８）の発光部から放射される光が振り子７の被検体部６に反射せず、フォトリフレクタ（センサ部８）の受光部が検知しないとＯＦＦ状態となる。このセンサ部８の出力信号を受信した防犯検知警報装置は警報音や点灯等によって不正行為を報知するように構成される。このように、本発明のセキュリティセンサ１は、上下方向（垂直方向）の振動にも高感度に感知できるように構成されている。
【００２８】
つぎに、本発明のセキュリティセンサ１の作用用効果を使用方法と共に説明する。
このセキュリティセンサ１を使用するには、例えば遊技機に使用する場合、全方位型センサであることから遊技機内の所望の部位に自由に取り付けることができ、防犯検知警報装置と電気的に接続する。そして、振り子７は振り子吊り下げ用ピン３を頂点とする円錐体状の揺動が可能に構成されていることに加え、上下方向（垂直方向）にも揺動自在に吊り下げられているため、遊技者が生起させるあらゆる方向の振動も高感度に検知することができるように構成されている。また、振り子７の被検体部６には磁石１０が嵌入されているため、セキュリティセンサ１は振動センサと磁石センサを兼ねており、磁石を用いた不正行為にも対応して検知することから、磁石センサを別個に取り付けることが不要となる。
【符号の説明】
【００２９】
１        セキュリティセンサ
２        ハウジング
２ａ      正面側ハウジング
２ｂ      背面側ハウジング
３        振り子吊り下げ用ピン
４        ピン挿通穴
５        吊り下げ部
６        被検体部
７        振り子
８        センサ部
９        基板
１０      磁石
１１      磁石嵌入用空間
【図１】
2019030382.tif 000003
【図２】
2019030382.tif 000004
【図３】
2019030382.tif 000005
【図４】
2019030382.tif 000006
【図５】
2019030382.tif 000007
【図６】
2019030382.tif 000008
【図７】
2019030382.tif 000009
【図８】
2019030382.tif 000010
【図９】
2019030382.tif 000011
【図１０】
2019030382.tif 000012